(57)【要約】      （修正有）【課題】使用時には装着が容易であると共に、収納部の洗浄及び乾燥を容易に行うことができる、収納部付きの風呂蓋装置を提供する。【解決手段】浴槽１１の開口部１２を閉止しうるシート部材からなる蓋部１３と、上記蓋部を巻き取って収納しうる収納部１４とを備えた風呂蓋装置であって、上記収納部１４は、上記浴槽１１の上端縁部近傍に定置しうる載置部１６を有する構成とする。【選択図】図１
0003157013.tif 000002
【実用新案登録請求の範囲】
【請求項１】
浴槽の開口部を閉止しうるシート部材からなる蓋部と、上記蓋部を巻き取って収納しうる収納部とを備えた風呂蓋装置であって、
上記収納部は、上記浴槽の上端縁部近傍に定置しうる載置部を有することを特徴とする風呂蓋装置。
【請求項２】
上記収納部は上記蓋部を巻き取り可能な円柱形の軸部と、上記軸部を被覆しうる半円筒形のカバー部材とから形成されると共に、上記載置部は平面部により形成され、
上記軸部には、上記蓋部を巻き取る方向に上記軸部を付勢するスプリング部材が配設されていることを特徴とする請求項１記載の風呂蓋装置。
【請求項３】
上記蓋部は合成樹脂からなることを特徴とする請求項１又は２いずれか１項記載の風呂蓋装置。
【請求項４】
上記軸部は上記カバー部材に着脱可能に取り付けられていることを特徴とする請求項２記載風呂蓋装置。
【考案の詳細な説明】
【技術分野】
【０００１】
本考案は、シート部材からなる蓋部と、上記蓋部を巻き取って収納しうる収納部とを備えた風呂蓋装置に関する。
【背景技術】
【０００２】
浴槽内の湯の保温、浴室の湿気防止の目的で用いられる風呂蓋は、一般的に複数の板材、若しくは一枚のシート部材からなり、不使用時においては、板材の場合は重ねて、シート部材の場合は丸めた状態で、浴室の片隅等に定置して保管するため、非常に嵩張り、浴室が狭い場合等は、非常に邪魔であるという不具合を有していた。
【０００３】
上記不具合を解決するために、浴槽若しくは浴室壁等に、蓋部を収納しうる収納部が装着された風呂蓋装置が提案されている（特許文献１）。
図４に示すように、上記特許文献１に係る風呂蓋装置５０は、浴槽５１の開口部５２を閉止しうるシート部材からなる蓋部５３と、上記蓋部５３を収納しうる収納部５４と、上記収納部５４内に配設され、上記蓋部５３を巻き取る軸部５５とから形成されている。
また、上記収納部５４は、四角柱形に形成されており、浴室の壁部５６に側面部５７が固定されている。
上記特許文献１に係る風呂蓋装置５０は、蓋部５３を使用する場合には、把持部５８を把持して上記収納部５４から引き出して浴槽５１の開口部５２を閉止し、使用しない場合には、上記収納部５４に収納されることから、蓋部５３が邪魔にならず、浴室の洗い場を広く使用できる旨の利点を有している。
しかしながら、図４に示すように、上記収納部５４を浴室の壁部５６に固定する必要があることから、取り付け作業工数が大きくなるとともに、収納部５４の内部及び軸部５５を洗浄し難いという不具合を有していた。
【０００４】
また、上記軸部５５が上記収納部５４の内部に装着されているため、上記蓋部５３の湿気により、上記軸部５５にカビ等が発生する虞があるという別途の不具合をも有していた。
【特許文献１】特開平６−２２８７４号公報
【考案の開示】
【考案が解決しようとする課題】
【０００５】
本考案の課題は、使用時には装着が容易であると共に、収納部の洗浄及び乾燥を容易に行うことができる、収納部付きの風呂蓋装置を提供することにある。
【課題を解決するための手段】
【０００６】
上記課題を解決するために、請求項１の考案に係る風呂蓋装置は、浴槽の開口部を閉止しうるシート部材からなる蓋部と、上記蓋部を巻き取って収納しうる収納部とを備えた風呂蓋装置であって、上記収納部は、上記浴槽の上端縁部近傍に定置しうる載置部を有することを特徴とする。
上記風呂蓋装置を使用する場合は、収納部の載置部を浴槽の上縁端面部等に定置し、上記収納部から蓋部を引き出して上記浴槽の開口部を閉止する。
また、不使用時は蓋部を収納部に巻き取って収納することによって、浴室外の任意の場所に持ち運んで乾燥させることができる。
【０００７】
また、請求項２の考案に係る風呂蓋装置は、上記収納部は上記蓋部を巻き取り可能な円柱形の軸部と、上記軸部を被覆しうる半円筒形のカバー部材とから形成されると共に、上記載置部は平面部により形成され、上記軸部には、上記蓋部を巻き取る方向に付勢するスプリング部材が配設されていることを特徴とする。
従って、上記スプリング部材の付勢力によって、上記軸部に、上記蓋部が自動的に巻き取られる。
【０００８】
また、請求項３の考案に係る風呂蓋装置は、上記蓋部は合成樹脂からなることを特徴とする。
【０００９】
また、請求項４の考案に係る風呂蓋装置は、上記軸部は上記カバー部材に着脱可能に取り付けられていることを特徴とする。
従って、上記カバー部材から上記軸部を取り外して、洗浄及び乾燥を行うことができる。
【考案の効果】
【００１０】
請求項１及び２の考案にあっては、蓋部を収納部に収納した状態で、上記収納部を自由に持ち運ぶことが可能であることから、板材または、単独のシート部材からなる従来の蓋部と比較して、取り外した場合にも嵩張り難く、使用時においても、浴槽の上縁端面部等に定置するだけでよく、特段の固定作業等は必要ない。
従って、装着が容易であると共に、不使用時には。任意の場所に持ち運ぶことによって、上記収納部の洗浄及び乾燥を容易に行うことが可能である風呂蓋装置を提供することができる。
特に請求項２の考案にあっては、上記軸部に上記蓋部をスプリング部材が配設されていることから、上記蓋部の巻き取り収納操作がより行い易くなる。
【００１１】
また、請求項３の考案にあっては、上記蓋部は合成樹脂からなることから、軽量で持ち運びが更に容易であると共に、保温性に優れている。
【００１２】
また、請求項４の考案にあっては、上記軸部は上記カバー部材に着脱可能に取り付けられていることから、上記カバー部材から上記軸部を取り外して、洗浄及び乾燥を行うことができるため、上記軸部及びカバー部材を清潔に保つことが可能である。
【図面の簡単な説明】
【００１３】
【図１】本考案に係る風呂蓋装置の一実施の形態を示し、（ａ）は蓋部を収納部に収納した状態、（ｂ）は蓋部で浴槽の開口部を閉止した状態を示す斜視図である。
【図２】本考案に係る風呂蓋装置の一実施の形態を示し、収納部の軸部の構造を示す軸方向断面図である。
【図３】本考案に係る風呂蓋装置の一実施の形態を示し、（ａ）は収納部に軸部を巻き取った状態における収納部の正面図、（ｂ）は同平面図、（ｃ）は上記収納部のカバー部材から、軸部を取り外す操作を示す正面図、（ｄ）は同平面図である。
【図４】従来の風呂蓋装置の構造を示す断面図である。
【考案を実施するための最良の形態】
【００１４】
本考案を実施するための形態について、図面を用いて説明する。
図１（ａ）及び（ｂ）に示すように本実施例に係る風呂蓋装置１０は、浴槽１１の開口部１２を閉止しうる合成樹脂からなるシート部材からなる蓋部１３と、上記蓋部１３を巻き取って収納しうる収納部１４とを備え、上記収納部１４は、上記浴槽１１の上端縁部近傍１５に定置しうる平面部からなる載置部１６を有している。
また、上記収納部１４は上記蓋部１３を巻き取り可能な円柱形の軸部１７と、上記軸部１７を被覆しうる半円筒形のカバー部材１８とから形成され、上記軸部１７には、上記蓋部を巻き取る方向に付勢するスプリング部材１９が配設されている。また、上記軸部１７は上記カバー部材１８に着脱可能に取り付けられている。
【実施例１】
【００１５】
以下に、図面を用いて本実施例の構成について詳細を説明する。
図１（ａ）は、本実施例に係る風呂蓋装置１０において、蓋部１３を収納部１４に収納した状態、（ｂ）は蓋部１３で浴槽１１の開口部１２を閉止した状態を示す斜視図である。
図１（ａ）、（ｂ）に示すように、上記収納部１４のカバー部材１８は細長半円筒形に形成されており、上記収納部１４の軸方向寸法は、上記浴槽１１の幅方向寸法と略同一寸法に形成されている。
また、上記蓋部１３は、ビニール系の合成樹脂からなるシート部材からなり、一端部に上記蓋部１３を引き出すための把持部２１が取り付けられている。
【００１６】
また、図２は、軸部１７の構造を示す軸方向断面図である。
図２（ｂ）に示すように、上記軸部１７は中空円筒形の外筒１７ａと、上記外筒１７ａ内に軸方向に沿って配置された軸芯部１７ｂとからなり、上記スプリング部材１９は、上記軸芯部１７ｂの外周部に配設され、上記スプリング部材１９の一端部は、上記軸芯部１７ｂの一端部において、スプリング端部固定用キャップ２０によって固定されている。
また、上記スプリング端部固定用キャップ２０は、引き出した蓋部１３が、引き出し位置から収納部１４（図２には図示せず）に戻ることを防止する為、公知のラチェット機構等のストッパ機構（図示せず）を備えている。
【００１７】
また、図３、（ａ）は収納部１４に軸部１７を巻き取った状態における収納部１４の正面図、（ｂ）は同平面図、（ｃ）は上記収納部１４のカバー部材１８から、軸部１７を取り外す際の操作を示す正面図、（ｄ）は同平面図である。
図３（ａ）、（ｂ）に示すように、上記カバー部材１８は、細長長方形板状の台部１８ａと、上記台部１８ａの両端部に配設されたソケット部１８ｂ，１８ｂと、上記台部１８ａを着脱自在に被覆するカバー本体部１８ｃとから形成されている。
【００１８】
以下、本実施例の形態に係る風呂蓋装置１０の作用について説明する。
図１（ｂ）に示すように、本実施例に係る風呂蓋装置１０の蓋部１３で浴槽１１の開口部１２を閉止する場合は、上記カバー部材１８の台部１８ａを浴槽の上端縁部近傍１５に固定部材を介することなく定置し、上記蓋部１３の把持部を把持して上記蓋部１３を上記開口部１２の端縁部に沿って上記収納部１４から引き出し、上記開口部１２を覆う。
【００１９】
この際、図２（ａ）、（ｂ）に示すように、上記蓋部１３は、引き出した任意の位置において、上記スプリング端部固定用キャップ２０が備えるストッパ機構（図示せず）によって留め置かれる。
【００２０】
従って、浴槽１１に一人で入浴している場合等は、例えば、開口部１２を半分のみ閉止することも可能である。
【００２１】
また、蓋部１３を上記収納部１４に収納する場合は、上記ストッパ機構のロックを解除することによって、上記スプリング部材１９の付勢力によって、自動的に上記蓋部１３が上記収納部１４内に巻き取られる。
【００２２】
なお、ストッパ機構のロック解除方法は、公知の方法、例えば、専用の押し釦（図示せず）の押下操作する方法、若しくは蓋部１３をわずかに引き出す操作によりロックを解除する方法等任意に選択することができる。
【００２３】
また、図３（ｃ）、（ｄ）に示すように、上記カバー本体部１８ｃを取り外して、上記軸部１７を露出させ、上記軸部１７を軸方向外方に引抜くことによって上記軸部１７を上記カバー部材１８から取り外すことができる。
従って、軸部１７を容易に洗浄、乾燥することができるため、常に軸部１７を清潔に保つことができる。
【００２４】
なお、本実施例においては、シート材をビニール系の合成樹脂シートとしたが、軽量且つ、保温性に優れた素材であれば、何れの素材を使用しても、本実施例と同一の作用効果を得ることが可能である。
また、蓋部は巻き取り可能な形状であれば、一枚のシート材である必要は無く、複数の板片を接続した形態であっても本実施例と同一の作用効果を得ることが可能である。
また、シート材及び収納部の軸方向寸法等は、浴槽サイズにあわせ適宜変更が可能である。
また、カバー部材の形状についても、浴槽の上端縁部近傍に定置可能な載置部を有していれば、適宜変更をすることが可能である。
【００２５】
更に、本実施例における載置部には、必要に応じて、上記収納部を浴槽に固定しうる固定部材が設けられていても良い。
【産業上の利用可能性】
【００２６】
本考案は、シート部材からなる蓋部と、上記蓋部を巻き取って収納しうる収納部とを備えた風呂蓋装置に関する。
【符号の説明】
【００２７】
１０  風呂蓋装置
１１  浴槽
１２  開口部
１３  蓋部
１４  収納部
１５  浴槽上端縁部近傍
１６  収納部の載置部
１７  軸部
１７ａ外筒
１７ｂ軸芯部
１８  カバー部材
１８ａ台部
１８ｂソケット部
１８ｃカバー本体部
１９  スプリング部材
２０  スプリング端部固定用キャップ
２１  把持部
５０  風呂蓋装置
５１  浴槽
５２  開口部
５３  蓋部
５４  収納部
５５  軸部
５６  壁部
５７  収納部の側面部
５８  把持部
【図１】
0003157013.tif 000003
【図２】
0003157013.tif 000004
【図３】
0003157013.tif 000005
【図４】
0003157013.tif 000006